【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
複数のワイヤレス通信デバイスを含むワイヤレス通信ネットワーク内の可変の通信レートにおけるワイヤレス無線チャネルにわたるワイヤレス通信のためのワイヤレス通信デバイス実施方法であって、前記方法が、
ワイヤレス通信デバイスのエンコーダによって、コードワードを生成するために低密度パリティ検査(LDPC)コードに基づいて情報ビットのセットを符号化するステップであって、前記LDPCコードが、第1の数の変数ノードおよび第2の数のチェックノードを有するベースグラフによって定義される、符号化するステップと、
前記ワイヤレス通信デバイスのパンクチャリングモジュールによって、パンクチャリングパターンに従って、パンクチャリングされたコードワードを生成するために前記ベースグラフ内の前記第1の数の変数ノードのうちの少なくとも2個に対応する前記コードワード内のビットをパンクチャするステップであって、前記ベースグラフが前記少なくとも2個のパンクチャリングされた変数ノードのために少なくとも1個の追加の変数ノードを含み、各追加の変数ノードが1個のチェックノードに接続され、前記チェックノードがパンクチャリングされたノードの対に結合される、パンクチャするステップと、
前記ワイヤレス無線チャネルにわたって前記ワイヤレス通信デバイスのアンテナを介して前記パンクチャリングされたコードワードに関連付けられた送信シンボルを含む無線周波数信号を送信するステップと
を含む、方法。
【請求項２】
前記少なくとも2個のパンクチャリングされた変数ビットが、前記ベースグラフ内の他の変数ノードよりも前記チェックノードに対してより高次数の接続性を有する、請求項1に記載の方法。
【請求項３】
前記少なくとも2個のパンクチャリングされた変数ノードがM個の変数ノードを備え、前記少なくとも1個の追加の変数ノードがM-1個の変数ノードを含む、請求項1に記載の方法。
【請求項４】
前記第1の数の変数ノードが、27個または28個の変数ノードである、請求項1に記載の方法。
【請求項５】
前記少なくとも2個のパンクチャリングされた変数ノードが、基準LDPCコード内の変数ノードの第2の次数の接続性よりも低い、前記チェックノードに対する第1の次数の接続性を有する、請求項1に記載の方法。
【請求項６】
前記少なくとも2個のパンクチャリングされた変数ノードおよび前記少なくとも1個の追加の変数ノードを有する前記ベースグラフによって定義される前記LDPCコードのZ個のコピーをとることによって、少なくとも1個のリフトされたLDPCコードを生成するステップ
をさらに含む、請求項1に記載の方法。
【請求項７】
複数のワイヤレス通信デバイスを含むワイヤレス通信ネットワーク内の可変の通信レートにおけるワイヤレス無線チャネルにわたるワイヤレス通信のための装置であって、前記装置が、
コードワードを生成するために低密度パリティ検査(LDPC)コードに基づいて情報ビットのセットを符号化するための手段であって、前記LDPCコードが、第1の数の変数ノードおよび第2の数のチェックノードを有するベースグラフによって定義される、符号化するための手段と、
パンクチャリングされたコードワードを生成するために前記ベースグラフ内の前記第1の数の変数ノードのうちの少なくとも2個に対応する前記コードワード内のビットをパンクチャするための手段であって、前記ベースグラフが前記少なくとも2個のパンクチャリングされた変数ノードのために少なくとも1個の追加の変数ノードを含み、各追加の変数ノードが1個のチェックノードに接続され、前記チェックノードがパンクチャリングされたノードの対に結合される、パンクチャするための手段と、
前記パンクチャリングされたコードワードに関連付けられた送信シンボルを含む無線周波数信号を送信するための手段と
を含む、装置。
【請求項８】
前記少なくとも2個のパンクチャリングされた変数ノードが、前記ベースグラフ内の他の変数ノードよりも前記チェックノードに対してより高次数の接続性を有する、請求項7に記載の装置。
【請求項９】
前記少なくとも2個のパンクチャリングされた変数ノードがM個の変数ノードを備え、前記少なくとも1個の追加の変数ノードがM-1個の変数ノードを含む、請求項7に記載の装置。
【請求項１０】
前記第1の数の変数ノードが、27個または28個の変数ノードである、請求項7に記載の装置。
【請求項１１】
前記少なくとも2個のパンクチャリングされた変数ノードが、基準LDPCコード内の変数ノードの第2の次数の接続性よりも低い、前記チェックノードに対する第1の次数の接続性を有する、請求項7に記載の装置。
【請求項１２】
前記少なくとも2個のパンクチャリングされた変数ノードおよび前記少なくとも1個の追加の変数ノードを有する前記ベースグラフによって定義される前記LDPCコードのZ個のコピーをとることによって、少なくとも1個のリフトされたLDPCコードを生成するための手段
をさらに含む、請求項7に記載の装置。
【請求項１３】
複数のワイヤレス通信デバイスを含むワイヤレス通信ネットワーク内の可変の通信レートにおけるワイヤレス無線チャネルにわたるワイヤレス通信のための装置であって、
メモリに結合された少なくとも1つのプロセッサであって、
コードワードを生成するために低密度パリティ検査(LDPC)コードに基づいて情報ビットのセットを符号化することであって、前記LDPCコードが、第1の数の変数ノードおよび第2の数のチェックノードを有するベースグラフによって定義される、符号化することと、
パンクチャリングされたコードワードを生成するために前記ベースグラフ内の前記第1の数の変数ノードのうちの少なくとも2個に対応する前記コードワード内のビットをパンクチャすることであって、前記ベースグラフが前記少なくとも2個のパンクチャリングされた変数ノードのために少なくとも1個の追加の変数ノードを含み、各追加の変数ノードが1個のチェックノードに接続され、前記チェックノードがパンクチャリングされたノードの対に結合される、パンクチャすることと
を行うように構成された、少なくとも1つのプロセッサと、
前記ワイヤレス無線チャネルにわたって前記ワイヤレス通信デバイスのアンテナを介して前記パンクチャリングされたコードワードに関連付けられた送信シンボルを含む無線周波数信号を送信するように構成された送信機と
を含む、装置。
【請求項１４】
前記少なくとも2個のパンクチャリングされた変数ノードが、前記ベースグラフ内の他の変数ノードよりも前記チェックノードに対してより高次数の接続性を有する、請求項13に記載の装置。
【請求項１５】
前記少なくとも2個のパンクチャリングされた変数ノードがM個の変数ノードを備え、前記少なくとも1個の追加の変数ノードがM-1個の変数ノードを含む、請求項13に記載の装置。
【請求項１６】
前記第1の数の変数ノードが、27個または28個の変数ノードである、請求項13に記載の装置。
【請求項１７】
前記少なくとも2個のパンクチャリングされた変数ノードが、基準LDPCコード内の変数ノードの第2の次数の接続性よりも低い、前記チェックノードに対する第1の次数の接続性を有する、請求項13に記載の装置。
【請求項１８】
前記少なくとも1つのプロセッサが、
前記少なくとも2個のパンクチャリングされた変数ノードおよび前記少なくとも1個の追加の変数ノードを有する前記ベースグラフによって定義される前記LDPCコードのZ個のコピーをとることによって、少なくとも1個のリフトされたLDPCコードを生成する
ようにさらに構成される、請求項13に記載の装置。
【請求項１９】
複数のワイヤレス通信デバイスを含むワイヤレス通信ネットワーク内の可変の通信レートにおけるワイヤレス無線チャネルにわたるワイヤレス通信のためのコンピュータ実行可能コードを記憶したコンピュータ可読記憶媒体であって、前記コードが、
ワイヤレス通信デバイスのエンコーダによって、コードワードを生成するために低密度パリティ検査(LDPC)コードに基づいて情報ビットのセットを符号化するためのコードであって、前記LDPCコードが、第1の数の変数ノードおよび第2の数のチェックノードを有するベースグラフによって定義される、符号化するためのコードと、
前記ワイヤレス通信デバイスのパンクチャリングモジュールによって、パンクチャリングパターンに従って、パンクチャリングされたコードワードを生成するために前記ベースグラフ内の前記第1の数の変数ノードのうちの少なくとも2個に対応する前記コードワード内のビットをパンクチャするためのコードであって、前記ベースグラフが前記少なくとも2個のパンクチャリングされた変数ノードのために少なくとも1個の追加の変数ノードを含み、各追加の変数ノードが1個のチェックノードに接続され、前記チェックノードがパンクチャリングされたノードの対に結合される、パンクチャするためのコードと、
前記ワイヤレス無線チャネルにわたって前記ワイヤレス通信デバイスのアンテナを介して前記パンクチャリングされたコードワードに関連付けられた送信シンボルを含む無線周波数信号を送信するためのコードと
を含む、コンピュータ可読記憶媒体。
【請求項２０】
前記少なくとも2個のパンクチャリングされた変数ノードが、前記ベースグラフ内の他の変数ノードよりも前記チェックノードに対してより高次数の接続性を有する、請求項19に記載のコンピュータ可読記憶媒体。
【請求項２１】
前記少なくとも2個のパンクチャリングされた変数ノードがM個の変数ノードを備え、前記少なくとも1個の追加の変数ノードがM-1個の変数ノードを含む、請求項19に記載のコンピュータ可読記憶媒体。
【請求項２２】
前記第1の数の変数ノードが、27個または28個の変数ノードである、請求項19に記載のコンピュータ可読記憶媒体。
【請求項２３】
前記少なくとも2個のパンクチャリングされた変数ノードが、基準LDPCコード内の変数ノードの第2の次数の接続性よりも低い、前記チェックノードに対する第1の次数の接続性を有する、請求項19に記載のコンピュータ可読記憶媒体。
【請求項２４】
前記少なくとも2個のパンクチャリングされた変数ノードおよび前記少なくとも1個の追加の変数ノードを有する前記ベースグラフによって定義される前記LDPCコードのZ個のコピーをとることによって、少なくとも1個のリフトされたLDPCコードを生成するためのコード
をさらに含む、請求項19に記載のコンピュータ可読記憶媒体。